(57)【要約】【課題】  通常、基板に対して垂直方向に縦置きに搭載されるチューナユニットを、特別に構造を変更させることなく、横置きに搭載した電子機器を提供する。【解決手段】  選局制御基板を内蔵したチューナユニットを備えた電子機器で、該チューナユニットを主基板と平行して配置し、前記選局制御基板に対する電源及び信号を供給する電源及び信号ラインが印刷された中継基板を前記チューナユニットの支柱として前記主基板と垂直に配置し、前記チューナユニットの選局制御基板と前記中継基板とは基板同士が接続され、前記中継基板と主基板とはフレキシブル・フラット・ケーブルで接続されているチューナユニットを横置きにした電子機器。【選択図】        図７
2005142882.tif 000002
【特許請求の範囲】
【請求項１】
選局制御基板を内蔵したチューナユニットを備えた電子機器において、該チューナユニットを主基板と平行して配置し、前記選局制御基板に対する電源及び信号を供給する電源及び信号ラインが印刷された中継基板を前記チューナユニットの支柱として前記主基板と垂直に配置し、前記チューナユニットの選局制御基板と前記中継基板とは基板同士が接続され、前記中継基板と主基板とはフレキシブル・フラット・ケーブルで接続されていることを特徴とするチューナユニットを横置きにした電子機器。
【請求項２】
前記チューナユニットは、電子機器の筐体の所定位置に設けられた２箇所のアンテナジャック用穴にアンテナジャックを挿入して固定されていることを特徴とする請求項１記載のチューナユニットを横置きにした電子機器。
【請求項３】
前記チューナユニットの足部は、主基板に設けられた２箇所の固定用穴に差し込んで支持されていることを特徴とする請求項１又は請求項２記載のチューナユニットを横置きにした電子機器。
【発明の詳細な説明】
【技術分野】
【０００１】
本発明は、チューナユニットを備えた電子機器に関し、特に、チューナユニットを横向きに組み込んだ電子機器に関する。
【０００２】
なお、本発明において「横置き」とは、機器を設置した面方向に垂直な方向を縦方向とし、機器の設置面方向に沿った方向を横方向という。つまり、通常、電子機器は水平に設置した場合は、その水平方向に電子基板が配置されるのが普通であり、その基板に平行な方向に配置することを「横置き」と称する。従って、機器自体をファイル形式で縦置きにして、その中の電子基板も縦方向に配置されている場合には、基板に平行な方向は縦方向となり、それは本発明の技術的思想の範囲内である。
【背景技術】
【０００３】
従来、ラジオ、テレビ、ビデオ等の各種電子機器において、チューナユニットは基板に対して縦置きに搭載するが普通であったが（特許文献１の実施例１）、機器の高さ（基板が水平に配置されている場合）を低く押さえようとする場合には、チューナユニットを横置きに使用するものもあった（特許文献１の実施例２他）。
【０００４】
また、機器の高さに考慮して、基板との電気的接合をチューナユニットの略中央部から突き出した端子との間で取るものも知られている（特許文献２）。さらに、チューナユニットを筐体の背面パネルに対して直接横方向に取り付けたものも知られている（特許文献３）。
【特許文献１】特開平１１−３４１３７４号公報
【特許文献２】特開２００３−１６３８５６号公報
【特許文献３】特開２００３−３０４１６２号公報
【発明の開示】
【発明が解決しようとする課題】
【０００５】
本発明は、通常、基板に対して垂直方向に縦置きに搭載されるチューナユニットを、特別に構造を変更させることなく、横置きに搭載した電子機器を提供しようとするものである。
【課題を解決するための手段】
【０００６】
本発明は、選局制御基板を内蔵したチューナユニットを備えた電子機器で、該チューナユニットを主基板と平行して配置し、前記選局制御基板に対する電源及び信号を供給する電源及び信号ラインが印刷された中継基板を前記チューナユニットの支柱として前記主基板と垂直に配置し、前記チューナユニットの選局制御基板と前記中継基板とは基板同士が接続され、前記中継基板と主基板とはフレキシブル・フラット・ケーブルで接続されているチューナユニットを横置きにした電子機器である。
【０００７】
さらに、本発明では、前記チューナユニットは、電子機器の筐体の所定位置に設けられた２箇所のアンテナジャック用穴にアンテナジャックを挿入して固定されているチューナユニットを横置きにした電子機器であり、また、前記チューナユニットの足部は、主基板に設けられた２箇所の固定用穴に差し込んで支持されているチューナユニットを横置きにした電子機器である。
【発明の効果】
【０００８】
本発明は、チューナユニットを横置きにしたことにより、高さに制限がある電子機器が提供できるものである。
【０００９】
さらに、本発明は、中継基板をチューナユニットの支柱とするためチューナユニットを電子機器に対してしっかりと固定できるものである。さらに、チューナユニットを、電子機器の筐体の所定位置に設けられた２箇所のアンテナジャック用穴にアンテナジャックを挿入して固定し、また、チューナユニットの足部は、主基板に設けられた２箇所の固定用穴に差し込んで支持されているので、より強固な固定が可能である。
【発明を実施するための最良の形態】
【００１０】
以下、図面を参酌しながら、本発明を実施するための最良の形態としての実施例を説明する。以下、本実施例ではラジオ用のチューナユニットを基板に対して横方向に設置した例を説明するが、当然のことに、本発明が他のチューナユニットにも適用可能なことは説明を待つまでもない。
【００１１】
図１乃至図３は、電子機器１０の主基板２０に対してチューナユニット３０を搭載する際の、中継基板４０とチューナユニット３０との接続関係を接続動作の時系列で示す状態図である。
【００１２】
図１は、中継基板４０がＦＦＣ（フレキシブル・フラット・ケーブル）５０によって主基板２０に接続された状態を示している。図２は、それにチューナユニット３０が電子機器１０の筐体１１の背面に取り付けられた状態を示している。図３は、さらに、チューナユニット３０が中継基板４０と接続された状態を示している。
【００１３】
図示したように、本発明の実施例では、横置きチューナユニット３０の固定方法としては、チューナユニット３０と主基板２０を中継している中継基板４０を利用して支えるものである。つまり、中継基板４０をチューナユニット３０の支柱として利用するものである。
【００１４】
中継基板４０は、チューナユニット３０と主基板２０間を接続する印刷基板であり、これにより電源及び信号ラインが中継されている。つまり、主基板２０からの電源と信号制御を、中継基板４０を通じてチューナユニット３０へ供給される。
【００１５】
中継基板４０は、主基板２０の所定の位置で固定されるように、主基板２０に２箇所の固定用穴２１、２２を設け、それらに中継基板４０の足部４１、４２を差し込む。
【００１６】
中継基板４０と主基板２０はＦＦＣ５０でコネクタ４４とコネクタ２３とが接続され、中継基板４０のコネクタ４３とチューナユニット３０のコネクタ３１は、コネクタにて基板同士（チューナユニット３０内の選局制御基板は図示していない）で接続されている。
【００１７】
チューナユニット３０は、筐体１１の背面の所定位置に設けられた２箇所のアンテナジャック用穴１２、１３にアンテナジャック３２、３３を挿入して固定される。別途、チューナユニット３０は、筐体１１の所定位置でねじ止めされる。このようにして、チューナユニット３０は、筐体１１の所定位置に固定されるが、これだけでは固定が不安定であるので、中継基板４０がチューナユニット３０の支柱として支えている。
【００１８】
図４乃至図６は、上述の電子機器１０の主基板２０に対してチューナユニット３０を搭載する際の、中継基板４０とチューナユニット３０との接続関係を接続動作の時系列で示す図１乃至図３の状態図を、筐体１１の背面側から見た状態図である。
【００１９】
図７は、チューナユニット以外の他の機器（トランス６０、放熱板７０）を搭載した電子機器の背面図であり、このように、トランス６０及び放熱板７０は、チューナユニットに比べると高さがそれ程高くはないので、図示した搭載配置にしても十分に高さの制限を許容できる。
【００２０】
以上の実施例でも明らかなように、チューナユニット３０は、中継基板４０のコネクタ４３に接続されるものであるから、当然のこと、主基板２０に対してもコネクタに対して接続できるものであり、横置きにのみ適用される特殊な構造のチューナユニットを採用する必要がなく、構造簡単で安価な方法で横置きのチューナユニットを備えた電子機器を提供することができる。
【図面の簡単な説明】
【００２１】
【図１】中継基板がＦＦＣによって主基板に接続された状態を示した図
【図２】チューナユニットが電子機器の筐体背面に取り付けられた状態を示した図
【図３】チューナユニットが中継基板と接続された状態を示した図
【図４】図１の状態を筐体の背面側から見た状態図
【図５】図２の状態を筐体の背面側から見た状態図
【図６】図３の状態を筐体の背面側から見た状態図
【図７】チューナユニット以外の他の機器を搭載した電子機器の背面図
【符号の説明】
【００２２】
１０  電子機器
２０  主基板
３０  チューナユニット
４０  中継基板
５０  ＦＦＣ（フレキシブル・フラット・ケーブル）
６０  トランス
７０  放熱板
【図１】
2005142882.tif 000003
【図２】
2005142882.tif 000004
【図３】
2005142882.tif 000005
【図４】
2005142882.tif 000006
【図５】
2005142882.tif 000007
【図６】
2005142882.tif 000008
【図７】
2005142882.tif 000009